【手続補正書】
【提出日】令和1年8月21日(2019.8.21)
【手続補正１】
【補正対象書類名】特許請求の範囲
【補正対象項目名】全文
【補正方法】変更
【補正の内容】
【特許請求の範囲】
【請求項１】
原油精製施設で実施される方法であって：
原油精製施設における第１の複数のプラント内の第１の複数のストリームを、前記原油精製施設における第２の複数のプラント内の第２の複数のストリームを利用し、前記第１の複数のストリームのうちの少なくとも１つのストリームと、前記第２の複数のストリームのうちの少なくとも１つのストリームとを受容する複数の熱交換器を用いて加熱するステップを備え、
前記第１の複数のプラントは、アミン再生プラント、芳香族炭化水素複合施設ベンゼン抽出ユニット、サワーウォータストリッパプラント、硫黄回収プラント、ガス分離プラントを備え、
前記第２の複数のプラントは、芳香族炭化水素プラントキシレン生成物分離ユニット、水素化分解プラント、ディーゼル水素処理プラントを備える、
原油精製施設で実施される方法。
【請求項２】
前記第１の複数のストリームを加熱するステップは、前記第２の複数のストリームを用いて、前記第１の複数のストリームを直接的に加熱するステップを備える、
請求項１に記載の方法。
【請求項３】
前記第１の複数のストリームを直接的に加熱するステップは：
第１の熱交換器において、前記芳香族炭化水素プラントキシレン生成物分離ユニット内のラフィネート塔頂ストリームの分岐を用いて前記アミン再生プラント内の酸性ガス再生塔底ストリームを加熱するステップと；
第２の熱交換器において、前記ディーゼル水素処理プラント内のディーゼルストリッパ塔底ストリームを用いて前記サワーウォータストリッパプラント内の前記ストリッパ塔底ストリームの分岐を加熱するステップと；
第３の熱交換器において、前記芳香族炭化水素プラントキシレン生成物分離ユニットにおいて抽出塔頂ストリームの分岐を用いて前記ストリッパ塔底ストリームの分岐を加熱するステップと；
第４の熱交換器において、第１段の低温高圧分離器への供給ストリームを用いて、前記硫黄回収プラント内のアミン再生塔底ストリームの分岐を加熱するステップと：
第５の熱交換器において、前記第２の熱交換器を出た前記ディーゼルストリッパ塔底ストリームを用いて、前記ガス分離プラント内のＣ３／Ｃ４スプリッタ塔底ストリームの分岐を加熱するステップと；
第６の熱交換器において、前記第５の熱交換器を出た前記ディーゼルストリッパ塔底ストリームを用いて、前記ガス分離プラント内の脱エタン塔底ストリームの分岐を加熱するステップと；
第７の熱交換器において、前記ラフィネート塔頂ストリームの分岐を用いて、前記芳香族炭化水素施設ベンゼン抽出ユニット内のベンゼン塔底ストリームの分岐を加熱するステップと；
第８の熱交換器において、前記水素化分解プラント内の第２段の低温高圧分離器への供給ストリームを用いて、前記芳香族炭化水素複合施設ベンゼン抽出ユニット内のラフィネート塔底ストリームの分岐を加熱するステップと；
を備える、
請求項２に記載の方法。
【請求項４】
前記第１の熱交換器と前記第７の熱交換器とは互いに並列に流体的に連結され、前記第２の熱交換器と前記第５の熱交換器と前記第６の熱交換器とは互いに直列に流体的に連結され、前記第２の熱交換器と前記第３の熱交換器とは互いに並列に流体的に連結される、
請求項３に記載の方法。
【請求項５】
前記第１の複数のストリームを直接的に加熱するステップは：
熱交換器Ａにおいて、前記ディーゼル水素処理プラントのディーゼルストリッパ塔頂ストリームを用いて前記ナフサスプリッタ塔底ストリームの分岐を加熱するステップと；
熱交換器Ｂにおいて、前記ラフィネート塔頂ストリームを用いて、前記芳香族炭化水素複合施設ベンゼン抽出ユニット内のナフサスプリッタ塔底ストリームの分岐を加熱するステップと；
熱交換器Ｃにおいて、前記水素化分解プラントの生成物ストリッパストリームを用いて前記ナフサスプリッタ塔底ストリームの分岐を加熱するステップと；
熱交換器Ｄにおいて、前記水素化分解プラントのディーゼル生成物ストリームを用いて、前記ナフサスプリッタ塔底ストリームの分岐を加熱するステップと；
熱交換器Ｅにおいて、前記水素化分解プラントの分留塔からのケロシン生成物冷却ストリームを用いて、前記ナフサスプリッタ塔底ストリームの分岐を加熱するステップと；
熱交換器Ｆにおいて、前記水素化分解プラントのケロシンポンプアラウンドストリームを用いて、前記ナフサスプリッタ塔底ストリームの分岐を加熱するステップと；
を備える、
請求項３に記載の方法。
【請求項６】
前記ナフサスプリッタ塔底ストリームの分岐は、前記熱交換器Ａ、前記熱交換器Ｂ、前記熱交換器Ｃ、前記熱交換器Ｄ、前記熱交換器Ｅ及び前記熱交換器Ｆに並行に流れる、
請求項５に記載の方法。
【請求項７】
前記熱交換器Ａ、前記熱交換器Ｂ、前記熱交換器Ｃ、前記熱交換器Ｄ、前記熱交換器Ｅ及び前記熱交換器Ｆは互いに並列に流体的に連結され、前記熱交換器Ｂと、前記第１の熱交換器と前記第７の熱交換器との組み合わせとは、互いに直列に流体的に連結される、
請求項５に記載の方法。
【請求項８】
前記加熱されたナフサスプリッタ塔底ストリームの分枝を前記芳香族炭化水素複合施設ベンゼン抽出ユニットへ流すステップと；
前記加熱されたサワーウォータストリッパストリームの分岐を前記サワーウォータストリッパプラントへ流すステップと；
前記加熱されたＣ３／Ｃ４スプリッタ塔底ストリーム及び前記脱エタン塔底ストリームを前記ガス分離プラントへ流すステップと；
前記加熱された前記アミン再生塔底ストリームの分岐を前記硫黄回収プラントへ流すステップと；
前記加熱された酸性ガス再生塔底ストリームの分枝を前記アミン再生プラントへ流すステップと；
をさらに備える、
請求項５に記載の方法。
【請求項９】
前記第１の複数のストリームを加熱するステップは、前記第２の複数のストリームを用いて、前記第１の複数のストリームを間接的に加熱するステップを備える、
請求項１に記載の方法。
【請求項１０】
前記第１の複数のストリームを加熱するステップは、前記第２の複数のストリームを用いて、前記第１の複数のストリームを、緩衝流体を通して間接的に加熱するステップを備える、
請求項９に記載の方法。
【請求項１１】
前記緩衝流体は、油又は水のうちの少なくとも一方を含む、
請求項１０に記載の方法。
【請求項１２】
前記第１の複数のストリームを、前記緩衝流体を通して間接的に加熱するステップは：
第１の熱交換器において、ラフィネート塔頂ストリームを用いて前記緩衝流体の分岐を加熱するステップと；
第２の熱交換器において、前記芳香族炭化水素プラントキシレン生成物分離ユニットの抽出塔頂ストリームを用いて、前記緩衝流体の分岐を加熱するステップと；
第３の熱交換器において、前記水素化分解プラント内の低温高圧分離器への第１段の反応供給ストリームを用いて、前記緩衝流体の分岐を加熱するステップと；
緩衝流体回収ヘッダ内に、前記加熱された緩衝流体の分岐を収集するステップと；
を備える、
請求項１０に記載の方法。
【請求項１３】
前記第１の熱交換器、前記第２の熱交換器及び前記第３の熱交換器は、互いに並列に流体的に連結される、
請求項１２に記載の方法。
【請求項１４】
前記ストリームを直接的に加熱するステップをさらに備え、
前記ストリームを直接的に加熱するステップは：
熱交換器Ａにおいて、前記ディーゼル水素処理プラントのディーゼルストリッパ塔頂ストリームを用いて、前記ナフサスプリッタ塔底ストリームの分岐を加熱するステップと；
熱交換器Ｂにおいて、前記ラフィネート塔頂ストリームの分岐を用いて、前記芳香族炭化水素複合施設ベンゼン抽出ユニット内のナフサスプリッタ塔底ストリームの分岐を加熱するステップと；
熱交換器Ｃにおいて、前記水素化分解プラントの生成物ストリッパストリームを用いて前記ナフサスプリッタ塔底ストリームの分岐を加熱するステップと；
熱交換器Ｄにおいて、前記水素化分解プラントのディーゼル生成物ストリームを用いて、前記ナフサスプリッタ塔底ストリームの分岐を加熱するステップと；
熱交換器Ｅにおいて、前記水素化分解プラントの分留塔からのケロシン生成物冷却ストリームを用いて、前記ナフサスプリッタ塔底ストリームの分岐を加熱するステップと；
熱交換器Ｆにおいて、前記水素化分解プラントのケロシンポンプアラウンドストリームを用いて、前記ナフサスプリッタ塔底ストリームの分岐を加熱するステップと；
を備える、
請求項１３に記載の方法。
【請求項１５】
前記ナフサスプリッタ底部ストリームの前記分岐が、前記熱交換器Ａ、前記熱交換器Ｂ、前記熱交換器Ｃ、前記熱交換器Ｄ、前記熱交換器Ｅ及び前記熱交換器Ｆに並行に流れる、
請求項１４に記載の方法。
【請求項１６】
前記熱交換器Ａ、前記熱交換器Ｂ、前記熱交換器Ｃ、前記熱交換器Ｄ、前記熱交換器Ｅ及び前記熱交換器Ｆは、互いに並列に流体的に連結される、
請求項１４に記載の方法。
【請求項１７】
前記ラフィネート塔頂ストリームは、追加の冷却を必要としない、
請求項１４に記載の方法。
【請求項１８】
前記ラフィネート塔頂ストリームの一部は、前記第１の熱交換器を用いて間接的に加熱することにより冷却され、前記ラフィネート塔頂ストリームの一部は、前記熱交換器Ｂを用いて直接的に加熱することにより冷却される、
請求項１７に記載の方法。
【請求項１９】
前記緩衝流体回収ヘッダから前記芳香族炭化水素複合施設ベンゼン抽出ユニット、前記サワーウォータストリッパプラント、前記硫黄回収プラント、前記アミン再生プラント及びガス分離プラントへ、加熱緩衝流体を流すステップと；
第４の熱交換器において、前記芳香族炭化水素複合施設ベンゼン抽出ユニット内のベンゼン塔底ストリームを、前記加熱緩衝流体の分岐を用いて加熱するステップと；
第５の熱交換器において、前記芳香族炭化水素複合施設ベンゼン抽出ユニット内のラフィネートスプリッタ塔底ストリームを、前記加熱緩衝流体の分岐を用いて加熱するステップと；
第６の熱交換器において、前記サワーウォータストリッパプラント内のサワーウォータストリッパ塔底ストリームを、前記加熱緩衝流体の分岐を用いて加熱するステップと；
第７の熱交換器において、前記硫黄回収プラント内のアミン再生塔底ストリームを、前記加熱緩衝流体の分岐を用いて加熱するステップと；
第８の熱交換器において、前記アミン再生プラント内の酸性ガス再生塔底ストリームを、前記加熱緩衝流体の分岐を用いて加熱するステップと；
第９の熱交換器において、前記ガス分離プラント内のＣ３／Ｃ４スプリッタ塔底ストリームを、前記加熱緩衝流体の分岐を用いて加熱するステップと；
第１０の熱交換器において、前記ガス分離プラント内の脱エタン塔底ストリームを、前記加熱された緩衝流体の分岐を用いて加熱するステップと；
をさらに備える、
請求項１５に記載の方法。
【請求項２０】
前記加熱緩衝流体は、最初に前記芳香族炭化水素複合施設ベンゼン抽出ユニットへ、次に前記サワーウォータストリッパプラントへ、次に前記硫黄回収プラントへ、次に前記アミン再生プラントへ、次に前記ガス分離プラントへ流される、
請求項１９に記載の方法。
【請求項２１】
前記第１０の熱交換器を出た前記加熱緩衝流体を、緩衝流体タンクへ流すステップをさらに備える、
請求項２０に記載の方法。
【請求項２２】
前記抽出塔頂ストリームの冷却要件は実質的に０ＭＷである、
請求項１２に記載の方法。
【請求項２３】
原油精製施設で実施されるシステムであって、請求項１に記載の方法を実施するように構成される、システム。
【請求項２４】
前記システムが流量制御システムを備える、
請求項２３に記載のシステム。
【手続補正２】
【補正対象書類名】明細書
【補正対象項目名】０１１４
【補正方法】変更
【補正の内容】
【０１１４】
以上、このように本主題の特定の実施について説明した。その他の実施は、以下に続く特許請求項の範囲に含まれる。
以下、本発明の実施の態様の例を列挙する。
［第１の局面］
原油精製施設で実施される方法であって：
原油精製施設における第１の複数のプラント内の第１の複数のストリームを、前記原油精製施設における第２の複数のプラント内の第２の複数のストリームを利用し、前記第１の複数のストリームのうちの少なくとも１つのストリームと、前記第２の複数のストリームのうちの少なくとも１つのストリームとを受容する複数の熱交換器を用いて加熱するステップを備える、
原油精製施設で実施される方法。
［第２の局面］
前記第１の複数のプラントは、アミン再生プラント、芳香族炭化水素複合施設ベンゼン抽出ユニット、サワーウォータストリッパプラント、硫黄回収プラント、ガス分離プラントを備え、
前記第２の複数のプラントは、芳香族炭化水素プラントキシレン生成物分離ユニット、水素化分解プラント、ディーゼル水素処理プラントを備える、
第１の局面の方法。
［第２の局面］
前記第１の複数のストリームを加熱するステップは、前記第２の複数のストリームを用いて、前記第１の複数のストリームを直接的に加熱するステップを備える、
第２の局面の方法。
［第３の局面］
前記ストリームを直接的に加熱するステップは：
第１の熱交換器において、前記芳香族炭化水素プラントキシレン生成物分離ユニット内のラフィネート塔頂ストリームの分岐を用いて前記アミン再生プラント内の酸性ガス再生塔底ストリームを加熱するステップと；
第２の熱交換器において、前記ディーゼル水素処理プラント内のディーゼルストリッパ塔底ストリームを用いて前記サワーウォータストリッパプラント内の前記ストリッパ塔底ストリームの分岐を加熱するステップと；
第３の熱交換器において、前記芳香族炭化水素プラントキシレン生成物分離ユニットにおいて抽出塔頂ストリームの分岐を用いて前記ストリッパ塔底ストリームの分岐を加熱するステップと；
第４の熱交換器において、第１段の低温高圧分離器への供給ストリームを用いて、前記硫黄回収プラント内のアミン再生塔底ストリームの分岐を加熱するステップと：
第５の熱交換器において、前記第２の熱交換器を出た前記ディーゼルストリッパ塔底ストリームを用いて、前記ガス分離プラント内のＣ３／Ｃ４スプリッタ塔底ストリームの分岐を加熱するステップと；
第６の熱交換器において、前記第５の熱交換器を出た前記ディーゼルストリッパ塔底ストリームを用いて、前記ガス分離プラント内の脱エタン塔底ストリームの分岐を加熱するステップと；
第７の熱交換器において、前記ラフィネート塔頂ストリームの分岐を用いて、前記芳香族炭化水素施設ベンゼン抽出ユニット内のベンゼン塔底ストリームの分岐を加熱するステップと；
第８の熱交換器において、前記水素化分解プラント内の第２段の低温高圧分離器への供給ストリームを用いて、前記芳香族炭化水素複合施設ベンゼン抽出ユニット内のラフィネート塔底ストリームの分岐を加熱するステップと；
を備える、
第３の局面の方法。
［第５の局面］
前記第１の熱交換器と前記第７の熱交換器とは、互いに並列に流体的に連結され、前記第２の熱交換器と前記第５の熱交換器と前記第６の熱交換器とは、互いに直列に流体的に連結され、前記第２の熱交換器と前記第３の熱交換器とは互いに並列に流体的に連結される、
第４の局面の方法。
［第６の局面］
前記ストリームを直接的に加熱するステップは：
熱交換器Ａにおいて、前記ディーゼル水素処理プラントのディーゼルストリッパ塔頂ストリームを用いて前記ナフサスプリッタ塔底ストリームの分岐を加熱するステップと；
熱交換器Ｂにおいて、前記ラフィネート塔頂ストリームを用いて、前記芳香族炭化水素複合施設ベンゼン抽出ユニット内のナフサスプリッタ塔底ストリームの分岐を加熱するステップと；
熱交換器Ｃにおいて、前記水素化分解プラントの生成物ストリッパストリームを用いて前記ナフサスプリッタ塔底ストリームの分岐を加熱するステップと；
熱交換器Ｄにおいて、前記水素化分解プラントのディーゼル生成物ストリームを用いて、前記ナフサスプリッタ塔底ストリームの分岐を加熱するステップと；
熱交換器Ｅにおいて、前記水素化分解プラントの前記主分留塔からのケロシン生成物冷却ストリームを用いて、前記ナフサスプリッタ塔底ストリームの分岐を加熱するステップと；
熱交換器Ｆにおいて、前記水素化分解プラントのケロシンポンプアラウンドストリームを用いて、前記ナフサスプリッタ塔底ストリームの分岐を加熱するステップと；
を備える、
第４の局面の方法。
［第７の局面］
前記ナフサスプリッタ塔底ストリームの分岐は、前記熱交換器Ａ、前記熱交換器Ｂ、前記熱交換器Ｃ、前記熱交換器Ｄ、前記熱交換器Ｅ及び前記熱交換器Ｆに並行に流れる、
第６の局面の方法。
［第８の局面］
前記熱交換器Ａ、前記熱交換器Ｂ、前記熱交換器Ｃ、前記熱交換器Ｄ、前記熱交換器Ｅ及び前記熱交換器Ｆは互いに並列に流体的に連結され、前記熱交換器Ｂと、前記第１の熱交換器と前記第７の熱交換器との組み合わせとは、互いに直列に流体的に連結される、
第５の局面の方法。
［第９の局面］
前記加熱されたナフサスプリッタ塔底ストリームの分枝を前記芳香族炭化水素複合施設ベンゼン抽出ユニットへ流すステップと；
前記加熱されたサワーウォータストリッパストリームの分岐を前記サワーウォータストリッパプラントへ流すステップと；
前記加熱されたＣ３／Ｃ４スプリッタ塔底ストリーム及び前記脱エタン塔底ストリームを前記ガス分離プラントへ流すステップと；
前記加熱された前記アミン再生塔底ストリームの分岐を前記硫黄回収プラントへ流すステップと；
前記加熱された酸性ガス再生塔底ストリームの分枝を前記アミン再生プラントへ流すステップと；
をさらに備える、
第６の局面の方法。
［第１０の局面］
前記第１の複数のストリームを加熱するステップは、前記第２の複数のストリームを用いて、前記第１の複数のストリームを間接的に加熱するステップを備える、
第２の局面の方法。
［第１１の局面］
前記緩衝流体は、油又は水のうちの少なくとも一方を含む、
第１０の局面の方法。
［第１２の局面］
前記第１の複数のストリームを加熱するステップは、前記第２の複数のストリームを用いて緩衝流体を通して前記第１の複数のストリームを間接的に加熱するステップを備える、
第１０の局面の方法。
［第１３の局面］
前記第１の複数のストリームを、前記緩衝流体を通して間接的に加熱するステップは：
第１の熱交換器において、ラフィネート塔頂ストリームを用いて前記緩衝流体の分岐を加熱するステップと；
第２の熱交換器において、前記芳香族炭化水素プラントキシレン生成物分離ユニットの抽出塔頂ストリームを用いて、前記緩衝流体の分岐を加熱するステップと；
第３の熱交換器において、前記水素化分解プラント内の低温高圧分離器への第１段の反応供給ストリームを用いて、前記緩衝流体の分岐を加熱するステップと；
緩衝流体回収ヘッダ内に、前記加熱された緩衝流体の分岐を収集するステップと；
を備える、
第１２の局面の方法。
［第１４の局面］
前記第１の熱交換器、前記第２の熱交換器及び前記第３の熱交換器は、互いに並列に流体的に連結される、
第１３の局面の方法。
［第１５の局面］
前記ストリームを直接的に加熱するステップをさらに備え、
前記ストリームを直接的に加熱するステップは：
熱交換器Ａにおいて、前記ディーゼル水素処理プラントのディーゼルストリッパ塔頂ストリームを用いて、前記ナフサスプリッタ塔底ストリームの分岐を加熱するステップと；
熱交換器Ｂにおいて、前記ラフィネート塔頂ストリームの分岐を用いて、前記芳香族炭化水素複合施設ベンゼン抽出ユニット内のナフサスプリッタ塔底ストリームの分岐を加熱するステップと；
熱交換器Ｃにおいて、前記水素化分解プラントの生成物ストリッパストリームを用いて前記ナフサスプリッタ塔底ストリームの分岐を加熱するステップと；
熱交換器Ｄにおいて、前記水素化分解プラントのディーゼル生成物ストリームを用いて、前記ナフサスプリッタ塔底ストリームの分岐を加熱するステップと；
熱交換器Ｅにおいて、前記水素化分解プラントの前記主分留塔からのケロシン生成物冷却ストリームを用いて、前記ナフサスプリッタ塔底ストリームの分岐を加熱するステップと；
熱交換器Ｆにおいて、前記水素化分解プラントのケロシンポンプアラウンドストリームを用いて、前記ナフサスプリッタ塔底ストリームの分岐を加熱するステップと；
を備える、
第１４の局面の方法。
［第１６の局面］
前記ナフサスプリッタ底部ストリームの前記分岐が、前記熱交換器Ａ、前記熱交換器Ｂ、前記熱交換器Ｃ、前記熱交換器Ｄ、前記熱交換器Ｅ及び前記熱交換器Ｆに並行に流れる、
第１５の局面の方法。
［第１７の局面］
前記熱交換器Ａ、前記熱交換器Ｂ、前記熱交換器Ｃ、前記熱交換器Ｄ、前記熱交換器Ｅ及び前記熱交換器Ｆは、流体的に互いに並列に連結される、
第１５の局面の方法。
［第１８の局面］
前記ラフィネート塔頂ストリームは、追加の冷却を必要としない、
第１５の局面の方法。
［第１９の局面］
前記ラフィネート塔頂ストリームの一部は、前記第１の熱交換器を用いて間接的に加熱することにより冷却され、前記ラフィネート塔頂ストリームの一部は、前記熱交換器Ｂを用いて直接的に加熱することにより冷却される、
第１８の局面の方法。
［第２０の局面］
前記緩衝流体回収ヘッダから前記芳香族炭化水素複合施設ベンゼン抽出ユニット、前記サワーウォータストリッパプラント、前記硫黄回収プラント、前記アミン再生プラント及びガス分離プラントへ、加熱緩衝流体を流すステップであって；
第４の熱交換器において、前記芳香族炭化水素複合施設ベンゼン抽出ユニット内のベンゼン塔底ストリームを、前記加熱緩衝流体の分岐を用いて加熱するステップと；
第５の熱交換器において、前記芳香族炭化水素複合施設ベンゼン抽出ユニット内のラフィネートスプリッタ塔底ストリームを、前記加熱緩衝流体の分岐を用いて加熱するステップと；
第６の熱交換器において、前記サワーウォータストリッパプラント内のサワーウォータストリッパ塔底ストリームを、前記加熱緩衝流体の分岐を用いて加熱するステップと；
第７の熱交換器において、前記硫黄回収プラント内のアミン再生塔底ストリームを、前記加熱緩衝流体の分岐を用いて加熱するステップと；
第８の熱交換器において、前記アミン再生プラント内の酸性ガス再生塔底ストリームを、前記加熱緩衝流体の分岐を用いて加熱するステップと；
第９の熱交換器において、前記ガス分離プラント内のＣ３／Ｃ４スプリッタ塔底ストリームを、前記加熱緩衝流体の分岐を用いて加熱するステップと；
第１０の熱交換器において、前記ガス分離プラント内の脱エタン塔底ストリームを、前記加熱された緩衝流体の分岐を用いて加熱するステップと；
をさらに備える、
第１６の局面の方法。
［第２１の局面］
前記加熱緩衝流体は、最初に前記芳香族炭化水素複合施設ベンゼン抽出ユニットへ、次に前記サワーウォータストリッパプラントへ、次に前記硫黄回収プラントへ、次に前記アミン再生プラントへ、次に前記ガス分離プラントへ流される、
第２０の局面の方法。
［第２２の局面］
前記第１０の熱交換器を出た前記加熱緩衝流体を、緩衝流体タンクへ流すステップ；
をさらに備える、
第２１の局面の方法。
［第２３の局面］
前記抽出塔頂ストリームの冷却要件は実質的に０ＭＷである、
第１３の局面の方法。
［第２４の局面］
原油精製施設で実施されるシステムであって、第１の局面に記載の方法を実施するように構成される、システム。
［第２５の局面］
前記システムが流量制御システムを備える、
第２４の局面のシステム。